(57)【要約】      （修正有）【課題】水洗トイレの便器を洗浄する液状薬剤を効率的に貯留することができ、水洗トイレを効率的に洗浄し得るオンタンク型薬液供給装置に関する。【解決手段】水洗トイレの貯水タンク上に設置可能なオンタンク型薬液供給装置であって、液状薬剤を収容可能な薬剤容器と、薬剤容器を支持するとともに、薬剤容器に供給された液状薬剤を貯留可能な貯留部４０と、貯水タンクに取り付ける取り付け部３４を有する台座３０と、を備え、貯留部４０は、底面４１および底面４１から延びる延設部材４２を有し、延設部材４２の底面４１から延びる少なくとも一面が、凹凸面に加工されている。【選択図】図３
2018204227.tif 000002
【特許請求の範囲】
【請求項１】
水洗トイレの貯水タンク上に設置可能なオンタンク型薬液供給装置であって、
液状薬剤を収容可能な薬剤容器と、
前記薬剤容器を支持するとともに、当該薬剤容器から供給された液状薬剤を貯留可能な貯留部と、貯水タンクに取り付ける取り付け部を有する台座と、
を備え、
前記貯留部は、底面および当該底面から延びる延設部材を有し、
前記延設部材の前記底面から延びる少なくとも一面が、凹凸面に加工されている、
オンタンク型薬液供給装置。
【請求項２】
請求項１に記載のオンタンク型薬液供給装置であって、
前記底面が凹凸面に加工されている、オンタンク型薬液供給装置。
【請求項３】
請求項１または２に記載のオンタンク型薬液供給装置であって、
前記底面には、平面視における中心から外側に向かって、第１の通水孔および第２の通水孔が少なくとも設けられ、前記第２の通水孔は、前記底面の縁部から立ちあがる側壁の近傍に設けられる、オンタンク型薬液供給装置。
【請求項４】
請求項３に記載のオンタンク型薬液供給装置であって、
前記側壁が、前記底面に対して略９０度の角度をもって立ち上がるとともに、内面と外面を通過する通過孔を備え、前記側壁の全面積に対する前記通過孔が占める割合が５０〜８０％である、オンタンク型薬液供給装置。
【請求項５】
請求項１から４のいずれか１項に記載のオンタンク型薬液供給装置であって、
前記取り付け部が前記底面の裏面に設けられ、当該取り付け部は、前記貯水タンクの吸水口に挿入可能な複数の長脚リブと、前記吸水口と前記底面の裏面との間にクリアランスを形成する複数の短脚リブとを設けた、オンタンク型薬液供給装置。
【発明の詳細な説明】
【技術分野】
【０００１】
本発明は、水洗トイレの貯水タンク上に設置され、フラッシング用の水とともに液剤を含有する液を貯水タンクに流出させるオンタンク型薬液供給装置に関する。
【背景技術】
【０００２】
従来、水洗トイレの貯水タンクの蓋上に載せて使用されるオンタンク式のトイレ芳香洗浄器具は、芳香成分や洗浄成分を含む固形物にフラッシング用の水をかけ、芳香成分や洗浄成分を溶出させた液を貯水タンクに供給する形式が主であった。
【０００３】
このような固形物に代わり、芳香成分や洗浄成分を高濃度で含む液剤を貯蔵した貯蔵容器を具備した種々のオンタンク型薬液供給装置が提案されている。
【０００４】
特許文献１は、芳香剤等の揮散量を著しく増加させ、また、芳香剤等の揮散範囲も拡大することを目的としたオンタンク型薬剤供給容器を開示している。
水洗トイレの手洗用蛇口付き貯水タンクに載置して使用するオンタンク型薬剤供給容器であって、該貯水タンク内の水を吐出させることにより、外部から該貯水タンク内部への吸気による気流及び給水時の該貯水タンク内部から外部に流出する気流に暴露する薬剤揮散・貯留部材を上記薬剤供給容器の底部表面に設けている。
【０００５】
特許文献２は、転倒や位置ずれなく、周囲空間へ十分に薬剤を揮散させつつ、適正量で薬剤を溶解させることを目的とした水洗トイレ用薬剤供給具を開示している。
この水洗トイレ用薬剤供給具では、薬剤容器を供給具本体にセットしたならば、長尺脚部を貯水タンク式水洗トイレの貯水タンク上蓋の穴に遊嵌することにより、水洗トイレ用薬剤供給具が使用状態となる。この使用状態において、含浸体に含浸している薬剤は、上部が開放状の供給具本体から外部へ自在に揮散する。放水タップからの水は、タンク貯水タンク上蓋の表面に沿って流動する際に、流入用開口部から供給具本体内に流入し、含浸体に含浸されている薬剤を溶解させ、流出用開口部及び円形孔から流出し、貯水タンク内に流下して貯水タンク内に貯留する。
【０００６】
特許文献３は、長期間にわたって芳香効果や洗浄効果を安定に発揮し得ることを目的としたオンタンク式トイレ芳香洗浄器具用液剤とともに当該器具を開示している。
貯蔵容器中の液剤を液溜部に導き、フラッシング用の水を前記液溜部に供給して液剤を含有する液を貯水タンクに流出させるオンタンク式トイレ芳香洗浄器具に使用される液剤であって、貯蔵容器から液溜部に導かれる液量が所定量となるように粘度が調整されている。
【先行技術文献】
【特許文献】
【０００７】
【特許文献１】特開２００２−３０９６５１号公報
【特許文献２】特開２００２−３２７４８０号公報
【特許文献３】特開２００３−５２８０２号公報
【発明の概要】
【発明が解決しようとする課題】
【０００８】
特許文献１、３に開示の装置によれば、適正な姿勢状態で使用しても、装置から吐出された薬液が、装置の構造的な理由から、香りをトイレ空間へ十分に蒸発させることが依然として困難であり、未だその性能は満足のいくレベルに達してはいない。特許文献２に開示の装置によれば、排水操作などで薬液装置が傾いたりすると、薬液吐出量が適正でなくなり、本来の洗浄機能を発揮することが困難である。
【０００９】
本発明は、水洗トイレの便器を洗浄する液状薬剤を効率的に貯留することができ、水洗トイレを効率的に洗浄し得るオンタンク型薬液供給装置に関する。
【課題を解決するための手段】
【００１０】
本発明のオンタンク型薬液供給装置は、水洗トイレの貯水タンク上に設置可能なオンタンク型薬液供給装置であって、液状薬剤を収容可能な薬剤容器と、前記薬剤容器を支持するとともに、当該薬剤容器から供給された液状薬剤を貯留可能な貯留部と、貯水タンクに取り付ける取り付け部を有する台座と、を備え、前記貯留部は、底面および当該底面から延びる延設部材を有し、前記延設部材の前記底面から延びる少なくとも一面が、凹凸面に加工されている。
【発明の効果】
【００１１】
本発明のオンタンク型薬液供給装置は、液状薬剤の貯留部が所定の凹凸形状や延設部材を有しており、液状薬剤を効果的に貯留することができる。
【図面の簡単な説明】
【００１２】
【図１】本発明の一実施形態のオンタンク型薬液供給装置の全体構成を示し、（ａ）は上方から見た斜視図、（ｂ）は下方から見た斜視図。
【図２】実施形態のオンタンク型薬液供給装置の分解斜視図。
【図３】実施形態のオンタンク型薬液供給装置に用いられる台座を示し、（ａ）は断面図、（ｂ）は上面図。
【図４】（ａ）は図３（ｂ）のＡ部の拡大図、（ｂ）は図３（ｂ）のＢ部の拡大図。
【発明を実施するための形態】
【００１３】
以下、本発明に係るオンタンク型薬液供給装置の好適な実施形態を、図１〜図４に基づいて詳述する。
【００１４】
図１は、本発明に係るオンタンク型薬液供給装置の一実施形態の全体構成を示し、図１（ａ）は上方から見た斜視図、図１（ｂ）は下方から見た斜視図をそれぞれ示している。オンタンク型薬液供給装置１は、図示せぬ水洗トイレの貯水タンク上に設置可能であり、貯水タンク上に設置された状態で、フラッシング用の水とともに液状薬剤をトイレボールに流出させ、トイレボールを清掃する機能を奏する。
【００１５】
図２は、実施形態のオンタンク型薬液供給装置１の分解斜視図を示す。オンタンク型薬液供給装置１は、カバー部材１０と、薬剤容器２０と、台座３０とを備えている。
【００１６】
薬剤容器２０は略円筒形の外形を有し、有効成分として芳香剤、洗浄剤等を含有する液状薬剤を収容する。薬剤容器２０は、収容された液状薬剤の量を目視できるように、例えば透明樹脂により構成されるが、その素材や形状は特に限定されない。本実施形態では、台座３０との取り付け前に中身の液状薬剤の流出を防止する中栓２２が、薬剤容器２０の底面に設けられた供給口２１に取り付けられている。
【００１７】
台座３０は、薬剤容器２０の下部に取り付けられ、薬剤容器２０を下方から支持する。台座３０は、薬剤容器２０の底面に設けられた供給口２１から供給された液状薬剤を貯留するとともに、貯水タンクに取り付け可能である。台座３０は例えば樹脂により構成されるが、その素材や形状は特に限定されない。台座３０の詳細は後述する。
【００１８】
カバー部材１０は蓋状の部材であり、意匠上の観点から薬剤容器２０の上部に被せられる部材であるが、必須の部材ではない。カバー部材１０は例えば樹脂により構成されるが、その素材や形状は特に限定されない。
【００１９】
台座３０は、薬剤容器２０の供給口２１から排出される液状薬剤を、大気圧を用いて外部へ排出、供給するための液状薬剤伝達部材３３と、液状薬剤伝達部材３３から排出された液状薬剤を一時的に貯留、保持可能な貯留部４０と、台座３０を貯水タンクの吸水口に取り付けるための取り付け部３４を有している。
【００２０】
液状薬剤伝達部材３３は、下側に向かってその径が拡大する中空パイプ形状を有し、上側の頂部には上側開口３３ａが設けられている。液状薬剤伝達部材３３の下側には、液状薬剤伝達部材３３の上下方向に形成された幅の小さいスリット状の液体伝達路４４が設けられている。
【００２１】
液状薬剤を収容した薬剤容器２０と台座３０とを組み合わす場合は、薬剤容器２０の供給口２１に、液状薬剤伝達部材３３を挿入する。ここで、中栓２２には、例えば図視せぬ塞栓部材が取り付けられており、液状薬剤伝達部材３３が当該塞栓部材を貫通する。そして、薬剤容器２０の供給口２１および中栓２２が、液状薬剤伝達部材３３と、貯留部４０の底面４１から略垂直方向に延びるように設けられた支持突起４３との間に位置し、保持される。このとき、中栓２２の先端は、液状薬剤伝達部材３３の周囲に設けられた突条３７の上に接することになる。
【００２２】
薬剤容器２０と台座３０の組み合わせ状態において、液状薬剤伝達部材３３の上側開口３３ａは、薬剤容器２０中の液状薬剤の液面より上側に位置している。液状薬剤伝達部材３３の内部の底面は、図示せぬ孔を通じて外部の大気に通じている。よって、たとえ内部の液状薬剤が減っても、大気圧が、常に薬剤容器２０に収容された液状薬剤の液面にかかることになり、液状薬剤は、液体伝達路４４に沿って下方に押圧される。ここで、突条３７の周方向には、切欠き部３８が複数個所に設けられており、液体伝達路４４の下端が、この切欠き部３８に通じている。よって、液体伝達路４４に沿って下方に降りてきた液状薬剤は、切欠き部３８を通じて、台座３０の貯留部４０に排出、供給される。貯留部４０は、供給された液状薬剤を保持、貯留することができる。
【００２３】
図３（ａ）は台座３０の断面図、図３（ｂ）は台座３０の上面図を示している。ただし、図３（ａ）の左半分は断面図を示すが、右半分は正面図を示している。台座３０の貯留部４０は、略円筒形の外形形状を有している。貯留部４０は、その外形形状である円筒形の底に相当し、平面視円形状を有する底面４１と、円筒形の側面に相当し、当該底面４１の縁部から立ち上がる側壁３２を有する。側壁３２は、底面４１に対し略９０度の角度をもって立ちあがっている。側壁３２は、その内面と外面を通過する通過孔３２ａを備えており、液状薬剤中の香料成分等を効率よく揮散させる。さらに貯留部４０に供給されたフラッシング用の水の一部が通過孔３２ａを通過する。円筒状の側壁３２の全面積に対する通過孔３２ａが占める割合は、５０〜８０％の範囲に設定することが好ましい。もちろん、側壁３２の形状や大きさ（高さ）は特に限定されない。
【００２４】
台座３０の貯留部４０の底面４１には、平面視における中心から外側に向かって、フラッシング用の水を通過させ、排水する第１の通水孔４６および第２の通水孔４５が設けられている。そして第２の通水孔４５は、側壁３２の近傍に設けられている。第１の通水孔４６は周方向に６つ、第２の通水孔４５は４つの配列を一単位として、この単位が周方向に６つ設けられている。第１の通水孔４６および第２の通水孔４５各々の位置、数、形状なども特に限定はされない。さらに別の通水孔を、第１の通水孔４６と第２の通水孔４５の間の位置等に設けることが可能である。
【００２５】
底面４１の裏面には、台座３０を貯水タンクに取り付けるための取り付け部３４が設けられている。取り付け部３４は、貯水タンクの吸水口に挿入可能な複数の長脚リブ３５と、吸水口と底面４１の裏面との間にクリアランスを確保するための複数の短脚リブ３６とを含む。複数の長脚リブ３５は弾性を有しており、吸水口に挿入された状態で拡がるため、台座３０が安定的に設置される。短脚リブ３６により、吸水口と底面４１の裏面との間にクリアランスが確保されるため、水を円滑に吸水口に流すことが可能となる。
【００２６】
図４（ａ）は、図３（ｂ）のＡ部の拡大図を示す。本実施形態においては、貯留部４０は、底面４１から延びる延設部材４２をさらに有している。延設部材４２は板形状を有し、周方向に６つ設けられている。そして、延設部材４２の底面４１から延びる二つの対向する面４２ａが、微細な凹凸を含む凹凸面４２ａに加工されている。凹凸は、延設部材４２が延びる方向（紙面に垂直な方向）に沿って形成されている。
【００２７】
貯留部４０が平らな底面４１のみからなる場合、その表面積は限定され、液状薬剤を貯留、保持する能力は限定される。本実施形態においては、底面４１から延びる延設部材４２を有しており、表面積を増やすことにより液状薬剤を貯留、保持する能力が向上している。さらに延設部材４２の底面４１から延びる二つの対向する面が、微細な凹凸を含む凹凸面４２ａになっており、表面積を一層増やしている。凹凸の部分に液状薬剤を貯留することで液状薬剤を保持する能力が一層向上し、液状薬剤の蒸発を抑制することができる。
【００２８】
凹凸面４２ａの形状、数、大きさ、加工方法などは特に限定されない。実施形態の様に対向する二つの面に設ける必要は必ずしもなく、一方の面のみに設けることもできる。また、凹凸面４２ａは凹部と凸部の繰り返しのみならず、ドット形状、のこぎり刃の形状などを含み、面に沿って所定の高低差が生じていればよい。凹凸面４２ａの凸部の頂部または凹部の底部の角度は、例えば１００〜１３０度に設定することができる。
【００２９】
図４（ｂ）は図３（ｂ）のＢ部の拡大図を示す。本実施形態においては、底面４１も凹凸面に加工されている。すなわち、底面４１は、平面視正方形の凸部（突状部）４１ｂが格子状に並べられており、凸部４１ｂの間に凹部（溝状部）４１ｃが形成され、凹凸面４１ａを形成している。例えば、凸部４１ｂは一辺が１．４ｍｍの正方形、凹部４１ｃの幅は０．６ｍｍ、深さは０．２ｍｍに設定することができる。凹部４１ｃに液状薬剤を貯留するとともに、液状薬剤の流出を防止することができ、液状薬剤を貯留、保持する能力が向上している。例えば、本加工による底面４１の面積は、凹凸面のない平面状の底面４１の面積に比べて、２０〜８０％増加させることが好ましい。
【００３０】
凸部４１ｂ、凹部４１ｃの形状、数、大きさ、加工方法などは特に限定されない。凹凸面４１ａは凹部と凸部の繰り返しのみならず、ドット形状、のこぎり刃の形状などを含み、面に沿って所定の高低差が生じていればよい。また、台座３０の本体とは別に、表面に凹凸を有するシートを用意し、台座３０の本体の底面４１に貼付して、凸部４１ｂ、凹部４１ｃを設けてもよい。
【００３１】
上記の如く構成されるオンタンク型薬液供給装置１は、図示せぬ水洗トイレの貯水タンク上に設置され、この設置状態でフラッシング用の水が貯留部４０に流入する。流入した水は、貯留部４０に貯留した液状薬剤と接触し、液状薬剤が混合された水が、貯留部４０の底面４１の第１の通水孔４６および第２の通水孔４５を通じて、貯水タンクの吸水口に流入する。そして、この液状薬剤を含む水が貯水タンクから便器に流出され、便器を洗浄する。フラッシングの後は、再び貯留部４０に液状液剤が保持される。
【００３２】
本実施形態のオンタンク型薬液供給装置１は、通水孔（第１の通水孔４６および第２の通水孔４５）を介してフラッシング用の水を効率的に通過させ、速やかに排水することで、液ハネや転倒などを抑制し、適正な使用状態を確保することができる。また、本実施形態のオンタンク型薬液供給装置１は、台座３０に設けた延設部材４２やその凹凸面４２ａ、底面４１やその凹凸面４１ａにより、液状薬剤を効果的に貯留することができる。
【００３３】
本発明のオンタンク型薬液供給装置に収容される液状薬剤は、有効成分として芳香剤、洗浄剤等を用いることができるが、特にその種類は限定されない。
【００３４】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００３５】
本発明は、液状薬剤を効果的に貯留し、効率よく水洗トイレの貯水タンクを洗浄可能なオンタンク型薬液供給装置を提供する。
【符号の説明】
【００３６】
１      オンタンク型薬液供給装置
１０    カバー部材
２０    薬剤容器
３０    台座
３３    液状薬剤伝達部材
３４    取り付け部
３５    長脚リブ
３６    短脚リブ
３７    突条
３８    切欠き部
４０    貯留部
４１    底面
４１ａ  凹凸面
４１ｂ  凸部
４１ｃ  凹部
４２    延設部材
４２ａ  凹凸面
４３    支持突起
４４    液体伝達路
４６    第１の通水孔
４５    第２の通水孔
【図１】
2018204227.tif 000003
【図２】
2018204227.tif 000004
【図３】
2018204227.tif 000005
【図４】
2018204227.tif 000006